(57)【特許請求の範囲】
【請求項１】
矩形の袋体であって、二組の対向する第一対向辺と第二対向辺とを有する矩形の基部片と、第一対向辺の両辺からそれぞれ延設して折り返した対向覆片と、第二対向辺の一方の辺から延設して折り返した覆片とで収容部を構成し、第二対向辺の他方の辺に折り返し可能な蓋部片を延設して成り、基部片の収容部内側の表面は対向覆片及び覆片に覆われた覆部と覆われていない非覆部とが形成されると共に、覆片の収容部外側の表面には少なくとも１個の水引細工の係止具が設けられ、覆片の収容部外側の表面と水引細工との隙間に折り返した蓋部片の先端縁部を挿入して蓋部片が係止されることを特徴とする紙製袋体。
【請求項２】
それぞれの対向覆片と覆片とが重なり合う、少なくとも一方の重合部が貼着されていることを特徴とする請求項１記載の紙製袋体。
【請求項３】
折り返された覆片の第一対向辺と平行な方向の最大幅を第一対向辺の長さより短くなっていることを特徴とする請求項１又は２に記載の紙製袋体。
【請求項４】
対向覆片の蓋部片側の縁辺が欠損して、第二対向片の他方と平行な方向に対して傾斜していることを特徴とする請求項１乃至３のいずれかに記載の紙製袋体。
【請求項５】
矩形の基部片の周囲において、対向覆片、覆片及び蓋部片が一体に形成されており、対向覆片、覆片及び蓋部片の一部を折り込むことによって、矩形の袋体を形成することを特徴とする請求項１乃至４のいずれかに記載の紙製袋体。
【請求項６】
対向覆片、覆片及び蓋部片を複数回折り返すことによって、収容物の厚さに応じた底部、マチ部を形成することを特徴とする請求項１乃至５のいずれかに記載の紙製袋体。
【発明の詳細な説明】
【技術分野】
【０００１】  本発明は、紙製袋体に関し、詳しくは冠婚葬祭等に用いられる祝儀袋や香典袋などの金員を内部に入れる金封に関する。
【背景技術】
【０００２】  従来、祝儀袋や香典袋などとして用いられる金封は、金員を包み紙で包むように折りたたみ、その折りたたまれた包み紙に環状に形成された水引をかける構造となっていた。
このような金封では、金員を収容したり取り出したりする際に、環状に形成された水引を取り外し、折りたたまれている包み紙を開くという作業が必要であるという問題があった。
また、水引を取り外すことによって水引の形状がくずれたり、包み紙に皺が生じたりするのという問題もあった。【０００３】  このような作業の手間を解消すべく特許文献１では、図１３に示すように、水引を取り外さずに金員を入れることができる封筒状の金封１００が提案されている。
金封１００は、紙を折りたたんで形成した封筒部１０１と封筒部１０１にかけられた水引１０２と封筒部１０１の開口に封をするための舌片１０３とから構成されている。【０００４】  このような金封１００では、封筒部１０１の開口から金員を入れ、舌片１０３を折り返して貼着することによって、水引１０２を取り外すことなく金員を金封１００の中に入れることができる。
【特許文献１】  実用新案登録第３０９２５８５号
【発明の開示】
【発明が解決しようとする課題】
【０００５】  封筒状の金封は封筒の内表面を収容物であるお金との間で摩擦力がはたらくため、収容物の出し入れがしにくいという問題があった。
開口を舌片で閉じる際には、糊、接着剤、粘着テープ等が必要となり、開封する際にははさみ等が必要になり、収容物の出し入れに時間がかかるという問題もあった。【０００６】  そこで、本発明は、収容物の出し入れが容易な紙製袋体を提供することを目的とする。
【課題を解決するための手段】
【０００７】  上記課題を解決するため、請求項１の紙製袋体は、矩形の袋体であって、二組の対向する第一対向辺と第二対向辺とを有する矩形の基部片と、第一対向辺の両辺からそれぞれ延設して折り返した対向覆片と、第二対向辺の一方の辺から延設して折り返した覆片とで収容部を構成し、第二対向辺の他方の辺に折り返し可能な蓋部片を延設して成り、基部片の収容部内側の表面は対向覆片及び覆片に覆われた覆部と覆われていない非覆部とが形成されると共に、覆片の収容部外側の表面には少なくとも１個の水引細工の係止具が設けられ、覆片の収容部外側の表面と水引細工との間に生じた隙間に折り返した蓋部片の先端縁部を挿入して蓋部片が係止されるようになっている。【０００８】  請求項２の紙製袋体は、それぞれの対向覆片と覆片とが重なり合う、少なくとも一方の重合部が貼着されている。【０００９】  （削除）【００１０】請求項３の紙製袋体は、折り返された覆片の第一対向辺と平行な方向の最大幅を第一対向辺の長さより短くなっている。【００１１】請求項４の紙製袋体は、対向覆片の蓋部片側の縁辺が欠損して、第二対向片の他方と平行な方向に対して傾斜している。【００１２】請求項５の紙製袋体は、矩形の基部片の周囲において、対向覆片、覆片及び蓋部片が一体に形成されており、対向覆片、覆片及び蓋部片の一部を折り込むことによって、矩形の袋体を形成するようになっている。【００１３】請求項６の紙製袋体は、対向覆片、覆片及び蓋部片を複数回折り返すことによって、収容物の厚さに応じた底部、マチ部を形成するようになっている。
【発明の効果】
【００１４】  請求項１の紙製袋体によれば、覆部と非覆部とが形成されるので、収容物を非覆部から容易に収容部の内部に収容することができる。
また、収容部に収容されている収容物を取り出すときは、非覆部の位置にある収容物を保持して容易に取り出すことができる。
係止具が設けられていることによって、接着剤や粘着テープなどを用いることなく蓋部片が係止されるようになっている。
したがって、収容物を何度も収容すること及び取り出すことが可能となり、収容物の入れ替え及び紙製袋体の再利用が可能となる。
また、係止されている蓋部片は、覆片の収容部外側の表面と係止具との間の隙間に折り返した蓋部片の先端縁部を挿入している状態なので、その隙間から蓋部片の先端縁部を抜くことによって容易に蓋部片の係止を解除することができる。
紙製袋体は可撓性を有しているので、第二対向辺の両辺が接近する方向であって、基部片の曲率半径より蓋部片の曲率半径が小さくなるように紙製袋体を湾曲させることによって、蓋部片の弾性力が生じるとともに蓋部片の係止が解除される。
したがって、紙製袋体を湾曲させることによって、容易に蓋部片の係止を解除することができる。【００１５】  また、係止具が水引細工であることによって、蓋部片を係止する役割を果たすと共に紙製袋体に冠婚葬祭その他の催し用の装飾を行うことができる。
したがって、お祝い金等を収容する祝儀袋等として紙製袋体を使用することもできる。【００１６】請求項２の紙製袋体によれば、重合部が貼着されていることによって、対向覆片と覆片とが折り返した状態で維持され、収容物を収容する際に対向覆片と覆片とが折り返す前の状態に戻ることを防止することができる。
したがって、容易に収容物を収容することができる。【００１７】請求項３の紙製袋体によれば、収容物の大きさや形状等に応じて、収容の容易さと収容物の落下防止とを両立するために、折り返された覆片の第一対向辺と平行な方向の最大幅を自由に設定することができる。
したがって、多様な収容物に対応できる紙製袋体を用意に提供することができる。【００１８】請求項４の紙製袋体によれば、対向覆片の蓋部片側の縁辺が欠損して、第二対向片の他方と平行な方向に対して傾斜しているので、蓋部片の折り返しによって形成される第二対向辺の谷折部と、対向覆片の蓋部片側の縁辺が重ならないようにすることができる。
しがたって、収容物を収容する際に谷折部に収容物が引っかかってしまうことを防止することができ、収容が容易になる。【００１９】請求項５の紙製袋体によれば、収容物を収容しているときは矩形の紙製袋体だが、収容物を取り出した後、紙製袋体を展開するとメッセージ性を備えた形状とすることができる。
したがって、より印象的な紙製袋体を提供することができる。【００２０】請求項６の紙製袋体１によれば対向覆片、覆片及び蓋部片を複数回折り返して底部、マチ部を形成した。
底部、マチ部を形成することによって、収容物の厚さに応じた紙製袋体を提供することができる。
【発明を実施するための最良の形態】
【００２１】  以下、本発明の一実施形態を図面に基づき説明する。
図１は、本発明の第一実施形態である紙製袋体１を示す斜視図である。
図２は、図１の紙製袋体１の蓋部片６を開いた状態を示す斜視図である。【００２２】  紙製袋体１は、内部に収容物を収容するための収容部を有する矩形の袋体である。
図３の紙製袋体１の展開図に示すように、紙製袋体１は、二組の対向する第一対向辺２１、２２と第二対向辺２３、２４とを有する矩形の基部片２と、第一対向辺の両辺である２１、２２からそれぞれ延設して折り返した対向覆片３、４と第二対向辺の一方の辺２３から延設して折り返した覆片５とで収容部を構成し、第二対向辺の他方の片２４に折り返し可能な蓋部片６を延設してなる。
基部片２の収容部内側の表面は対向覆片３、４及び覆片５に覆われた覆部と覆われていない非覆部とが形成される。
図１及び図２に示すように、覆片５の収容部外側の表面には、係止具７が設けられている。
図４は、図１における断面線Ａ−Ａの断面間略図である。
覆片５の収容部外側の表面と係止具７との隙間に折り返した蓋部片６の先端縁部６１を挿入して、蓋部片６が係止されるようになっている。【００２３】  上記の紙製袋体１によれば、覆部と非覆部とが形成されるので、収容物を非覆部から容易に収容部の内部に収容することができる。
また、収容部に収容されている収容物を取り出すときは、非覆部の位置にある収容物を保持して容易に取り出すことができる。【００２４】  係止具７が設けられていることによって、接着剤や粘着テープなどを用いることなく蓋部片６が係止されるようになっている。【００２５】  また、係止されている蓋部片６は、覆片５の収容部外側の表面と係止具との間に生じた隙間に折り返した蓋部片６の先端縁部６１を挿入している状態なので、はさみ等を用いることなく、その隙間から蓋部片６の先端縁部６１を抜くことによって容易に蓋部片６の係止を解除することができる。
したがって、収容物を何度も収容すること及び取り出すことが可能となり、収容物の入れ替え及び紙製袋体１の再利用が可能となる。【００２６】  紙製袋体１は可撓性を有しているので、図５に示すように、第二対向辺の両辺２３、２４が接近する方向であって、基部片２の曲率半径より蓋部片６の曲率半径が小さくなるように紙製袋体１を湾曲させることによって、蓋部片６に弾性力が生じる。
この弾性力は、図５中の矢印Ｂの方向に蓋部片６の先端縁部６１を付勢する。
図５のように紙製袋体１を湾曲させることによって、覆片５も湾曲して蓋部片６の内側表面に当接し、蓋部片６の先端縁部６１を矢印Ｂの方向に付勢する。【００２７】  紙製袋体１を湾曲させても、図５（ａ）のように蓋部片６の先端縁部６１が覆片５の収容部外側の表面と係止具７との間の隙間に位置する間は、Ｂ方向の付勢力と、係止具７が蓋部片６の先端縁部６１に当接して押さえつけられている力とが釣り合っている。
蓋部片６の曲率半径が小さくなるようにさらに紙製袋体１を湾曲させていくと、図５（ｂ）のように第二対向辺２４から係止具７の先端７１までの弧が長くなる。第二対向辺２４から延設されており、その弧に沿って湾曲する蓋部片６の先端縁部６１は係止具７の先端７１まで達しなくなる。
蓋部片６の先端縁部６１が係止具７の先端７１に達しなくなった瞬間、蓋部片６に働く力はＢ方向の付勢力だけとなり、蓋部片６が開くようになっている。【００２８】  紙製袋体１は図３の紙製袋体１の展開図から以下の手順によって形成される。
まず、第一対向辺２２を折り線として対向覆片４を折り返して、図６に示す状態にする。
次いで、第二対向辺２３を折り線として覆片５を折り返して、図７に示す状態にする。
本実施形態の紙製袋体１では対向覆片４と覆片５とが重なりあっている重合部があり、対向覆片４と覆片５との重合部を接着剤で貼着する。【００２９】  次いで、第一対向辺２１を折り線として対向覆片３を折り返して、覆片５と基部片２との間に挟みこみ、図８に示す状態にする。
次いで、覆片５の収容部外側の表面に係止具７を接着剤８で取り付けて、図２の状態にする。
次いで、第二対向辺２４を折り線として蓋部片６を折り返して、覆片５の収容部外側の表面と係止具７との隙間に、蓋部片６の先端縁部６１を挿入し、図１の状態にする。【００３０】  紙製袋体１には対向覆片３、４と覆片５とが重なりあっている重合部があり、本実施形態では、上述の通り対向覆片４と覆片５との重合部が接着剤で貼着されている。
重合部が貼着されていることによって、対向覆片４と覆片５とが折り返した状態で維持され、収容物を収容する際に対向覆片４と覆片５とが折り返す前の状態に戻ることを防止することができる。
したがって、容易に収容物を収容することができる。【００３１】  また、本実施形態の紙製袋体１では、対向覆片３と覆片５とが重なり合う重合部が貼着されていない。
これにより、収容物を収容する際に、対向覆片３を開き覆片５と基部片２との距離を離間させることによって収容部を大きく開口させることができるので、容易に収容物を収容することができる。【００３２】  係止具７は水引細工であり、本実施形態では、３本の紐体を使用してあわび結びをした水引細工を使用している。【００３３】  係止具７が水引細工であることによって、蓋部片６を係止する役割を果たすと共に紙製袋体１に冠婚葬祭その他の催し用の装飾を行うことができる。
したがって、お祝い金等を収容する祝儀袋等として紙製袋体を使用することができる。【００３４】  本実施形態の紙製袋体１では、覆片５の第一対向辺２１、２２と平行な方向の最大幅は、第一対向辺２１、２２の長さの４分の３程度となっている。
ただし、覆片５の第一対向辺２１、２２と平行な方向の最大幅は、第一対向辺２１、２２の長さより短くなっていれば、収容物の大きさや形状等に応じて、収容の容易さと収容物の落下防止とを両立するために、覆片５の第一対向辺２１、２２と平行な方向の最大幅を自由に設定することができる。
したがって、多様な収容物に対応できる紙製袋体１を用意に提供することができる。【００３５】  本実施形態の紙製袋体１では、対向覆片３、４は略台形形状をなしており、対向覆片３、４の蓋部片６側の縁辺が欠損して、第二対向辺２４と平行な方向に対して傾斜している。【００３６】  対向覆片３、４の蓋部片６側の縁辺が欠損して、第二対向辺２４と平行な方向に対して傾斜しているので、蓋部片６の折り返しによって形成される谷折部（第二対向辺２４）と、対向覆片３、４の蓋部片６側の縁辺が重ならないようにすることができる。
しがたって、収容物を収容する際に谷折部（第二対向辺２４）に収容物が引っかかることを防止することができ、収容が容易になる。【００３７】  第一実施形態の紙製袋体１では、対向覆片３、４と覆片５とが重なりあっている重合部があり、対向覆片４と覆片５との重合部が接着剤で貼着されており、対向覆片３と覆片５とが重なり合う重合部が貼着されていなかったが、これに限定されることなく、対向覆片４と覆片５との重合部及び対向覆片３と覆片５との重合部の両方が貼着されていなくてもよく、対向覆片４と覆片５との重合部及び対向覆片３と覆片５との重合部の両方が貼着されていてもよい。【００３８】  第一実施形態の紙製袋体１では、あわび結びの水引細工を使用したが、これに限定されることなく、水引細工は、例えば本結び、叶結び、片なわ結び、玉結び、かめ結び、松葉結び等の他の結び方の水引細工であってもよい。【００３９】  第一実施形態の紙製袋体１では、紙製袋体１は図３の紙製袋体１の展開図から対向覆片４、覆片５、対向覆片３の順に折り返して形成したが、これに限定されることなく、対向覆片４、対向覆片３、覆片５の順に折り返して形成してもよい。【００４０】  さらに第一実施形態の紙製袋体１では、対向覆片、覆片及び蓋部片をそれぞれ１回折り返して形成したが、これに限定されることなく、対向覆片、覆片及び蓋部片を複数回折り返して底部、マチ部を形成してもよい。【００４１】  底部、マチ部を形成することによって、収容物の厚さに応じた紙製袋体を提供することができる。【００４２】  図９〜図１２は本発明の紙製袋体の別の実施形態を示している。
以下、それぞれの実施形態について、第一実施形態の紙製袋体１と同一の部分の説明は省略し、第一実施形態の紙製袋体１との相違点を説明する。【００４３】  第一実施形態の紙製袋体１では、１個の係止具７が設けられていたが、図９に示す第二実施形態の紙製袋体１２では、覆片５の収容部外側の表面に複数の係止具７を設けられている。【００４４】  複数の係止具７が設けられていることによって、複数の箇所で蓋部片６を係止することができるので、安定した蓋部片６の係止を実現することが出来る。【００４５】  第一実施形態の紙製袋体１では、第一対向辺２１、２２が図３において基部片２の上下方向に対向し、第二対向辺２３、２４が図３において基部片２の左右方向に対向していたが、図１０に示す第三実施形態の紙製袋体１３では、第一対向辺２１、２２が基部片２の左右方向に対向し、第二対向辺２３、２４が基部片２の上下方向に対向している。【００４６】  これにより、第三実施形態の紙製袋体１３の蓋部片６が図１０において上下に開閉するので、第一実施形態の紙製袋体１の蓋部片６のように蓋部片６が左右に開閉する場合に、収容部から転がり落ちやすいような収容物を収容することができる。【００４７】  第一実施形態の紙製袋体１では、覆片５の覆部と非覆部との境界をとなる縁辺は第二対向辺２４と平行となっていたが、図１１に示す第四実施形態の紙製袋体１４では、覆片５の覆部と非覆部との境界となる縁辺が第二対向辺２４に対して傾斜している。【００４８】  覆片５の覆部と非覆部との境界となる縁辺が第二対向辺２４に対して傾斜しているので、収容物の大きさや形状等に応じて、収容の容易さと収容物の落下防止とを両立することができる。【００４９】  第一実施形態の紙製袋体１では、本実施形態の紙製袋体１では、対向覆片３、４、覆片５及び蓋部片６がそれぞれ独立して基部片２から延設されていたが、図１２に示す第五実施形態の紙製袋体１５では、対向覆片３、４、覆片５及び蓋部片６が一体に形成されており、対向覆片３、４、覆片５及び蓋部片６をそれぞれ第一対向辺２１、２２、第二対向辺２３、２４で折り返す際に、対向覆片３、４、覆片５及び蓋部片６の一部である折込部９を折り込むことによって矩形の袋体を形成する。【００５０】  第五実施形態の紙製袋体１５では、収容物を収容しているときは矩形の紙製袋体１だが、収容物を取り出した後、紙製袋体１５を展開するとメッセージ性を備えた形状とすることができる。
したがって、より印象的な紙製袋体を提供することができる。【００５１】  上記実施形態の紙製袋体１、１２、１３、１４、１５では、収容する収容物は金員に限定されず、収容物の寸法に合わせて、紙製袋体１、１２、１３、１４、１５の寸法を自由に設定することができる。
【図面の簡単な説明】
【００５２】
【図１】  本発明の一実施形態である紙製袋体１を示す斜視図である。
【図２】  図１の紙製袋体１の蓋部片６を開いた状態を示す斜視図である。
【図３】  図１の紙製袋体１を展開した平面図である。
【図４】  図１の断面線Ａ−Ａにおける断面図である。
【図５】  図１の断面線Ａ−Ａにおける断面図であって、紙製袋体１を湾曲させて蓋部片を開ける様子を示す。
【図６】  図１の紙製袋体１を形成する過程を示す平面図である。
【図７】  図１の紙製袋体１を形成する過程を示す平面図である。
【図８】  図１の紙製袋体１を形成する過程を示す平面図である。
【図９】  本発明の第二実施形態の紙製袋体１２の平面図である。
【図１０】  本発明の第三実施形態の紙製袋体１３の平面図である。
【図１１】  本発明の第四実施形態の紙製袋体１４の平面図である。
【図１２】  本発明の第四実施形態の紙製袋体１５の平面図である。
【図１３】  従来の紙製袋体（金封）の平面図である。
【符号の説明】
【００５３】１  紙製袋体
２  基部片
３、４  対向覆片
５  覆片
６  蓋部片
７  係止具
８  接着剤
９  折込部
１２、１３、１４、１５  紙製袋体
２１、２２  第一対向辺
２３、３４  第二対向辺
６１  先端縁部
７１  先端
１００  金封
１０１  封筒部
１０２  水引
１０３  舌片
【図１】
0005347095.tif 000002
【図２】
0005347095.tif 000003
【図３】
0005347095.tif 000004
【図４】
0005347095.tif 000005
【図５】
0005347095.tif 000006
【図６】
0005347095.tif 000007
【図７】
0005347095.tif 000008
【図８】
0005347095.tif 000009
【図９】
0005347095.tif 000010
【図１０】
0005347095.tif 000011
【図１１】
0005347095.tif 000012
【図１２】
0005347095.tif 000013
【図１３】
0005347095.tif 000014